(57)【要約】【課題】レンズ群の収納長の更なる短縮化を図ることができる沈胴式ズームレンズ鏡筒を提供する。【解決手段】この沈胴式ズームレンズ鏡筒１０は、光軸方向に互いに離間配置されたレンズ群１２，１３及び１４と、光軸の周りに回転可能、且つ光軸方向に移動可能に設けられるとともに、２つのレンズ群１２，１３及び１４を光軸方向に移動可能に保持する移動環２２と、移動環２２の周りに設けられ、該移動環２２を回転させて移動環２２を光軸方向に移動させる第１の移動手段２６と、を備え、移動環２２は、２つのレンズ群の一方のレンズ群１２，１３に対して他方のレンズ群１４を光軸方向に移動させるとともに、該他方のレンズ群１４に対して一方のレンズ群１２，１３を光軸方向に移動させる第２の移動手段３３，３４，３５，３６，２２ｂを有する。【選択図】図２
2007316516.tif 000002
【特許請求の範囲】
【請求項１】
光軸方向に互い離間配置された２つのレンズ群と、
光軸の周りに回転可能、且つ光軸方向に移動可能に設けられるとともに、前記２つのレンズ群を光軸方向に移動可能に保持する移動環と、
前記移動環の周りに設けられ、該移動環を回転させて前記移動環を光軸方向に移動させる第１の移動手段と、を備え、
前記移動環は、前記２つのレンズ群の一方のレンズ群に対して他方のレンズ群を光軸方向に移動させるとともに、該他方のレンズ群に対して前記一方のレンズ群を光軸方向に移動させる第２の移動手段を有する、
ことを特徴とする沈胴式ズームレンズ鏡筒。
【請求項２】
前記第２の移動手段は、単一の駆動源によって前記２つのレンズ群をそれぞれ光軸方向に移動させる、
ことを特徴とする請求項１に記載の沈胴式ズームレンズ鏡筒。
【請求項３】
前記移動環は、前記２つのレンズ群を個別に光軸方向に移動可能に保持する一対の保持枠を有し、
前記第２の移動手段は、光軸に対して平行に配置され、前記単一の駆動源によって回転駆動されるねじ軸と、
該ねじ軸に螺合され、前記ねじ軸の回転により光軸方向に移動するとともに、該光軸方向の移動により前記一対の保持枠に個別に係合して該一対の保持枠をそれぞれ光軸方向に移動させる一対のナットと、
前記一対の保持枠が光軸方向の一方に移動するときに該一対の保持枠の一方の移動を規制し、前記一対の保持枠が光軸方向の他方に移動するときに該一対の保持枠の他方の移動を規制する規制部材と、を有する、
ことを特徴とする請求項２に記載の沈胴式ズームレンズ鏡筒。
【請求項４】
前記移動環及び前記第１の移動手段の光軸方向の移動と、前記ねじ軸の回転と、によって変倍操作を行うこと、
ことを特徴とする請求項３に記載の沈胴式ズームレンズ鏡筒。
【請求項５】
前記移動環の光軸方向の移動と、前記ねじ軸の回転と、によって焦点調節を行う、
ことを特徴とする請求項３又は４に記載の沈胴式ズームレンズ鏡筒。
【請求項６】
前記第１の移動手段が、前記移動環とカム係合するカム筒である、
ことを特徴とする請求項１〜５のいずれか一項に記載の沈胴式ズームレンズ鏡筒。
【請求項７】
前記２つのレンズ群の一方がフォーカスレンズ群である、
ことを特徴とする請求項１〜６のいずれか一項に記載の沈胴式ズームレンズ鏡筒。
【発明の詳細な説明】
【技術分野】
【０００１】
本発明は、例えば、デジタルカメラ等の撮影装置に用いられる沈胴式ズームレンズ鏡筒に関する。
【背景技術】
【０００２】
沈胴式ズームレンズ鏡筒は、非撮影時には被写体を撮像するためのレンズ群がカメラボディ内にコンパクトに収納され、撮影時にレンズ群がカメラボディから被写体側に繰り出すようになっている。
【０００３】
ところで、近年、カメラの小型化はますます進んできており、沈胴式ズームレンズ鏡筒についても、非撮影状態でレンズ群をカメラボディ内に収納する際の収納長の短縮が求められている。
【０００４】
しかし、例えば近年よく用いられるカム駆動の沈胴式ズームレンズ鏡筒の収納長は、レンズ鏡筒中のレンズ群の厚みと、レンズ群を撮影状態まで移動させるためのカムの光軸方向の長さとに依存する。
【０００５】
また、近年の高倍率化により、レンズ群の駆動領域が大きく、そのため、レンズ群を光軸方向へ移動させるカムの光軸方向の長さも長くなり、結果的にレンズ鏡筒の収納長も長くなる。
【０００６】
そこで、カム筒が回転することで光軸方向に移動する第１のレンズ群及び第２のレンズ群を備え、第２のレンズ群を第１のレンズ群に対して移動自在に配置した沈胴式ズームレンズ鏡筒が提案されている（例えば、特許文献１参照）。
【０００７】
この沈胴式ズームレンズ鏡筒は、カム筒を回転することで第１及び第２のレンズ群を収納用案内域との境界まで移動させ、この状態で第１のレンズ群に取り付けられた単一のモータを駆動して第２のレンズ群を収納予備位置に移動させる。これにより、２つのレンズ群が収納位置に移動したときに互いに干渉することを確実に防止し、且つレンズ鏡筒の収納長の短縮が図れるとしている。
【特許文献１】特開２００１−４２４０４号公報
【発明の開示】
【発明が解決しようとする課題】
【０００８】
しかし、上記特許文献１では、第１のレンズ群に対して第２のレンズ群しか移動させることができない。このため、第１及び第２のレンズ群を繰り出した後、第１のレンズ群はカム筒の回転による量しか光軸方向に移動することができない。
【０００９】
従って、第１のレンズ群が撮影状態の位置まで光軸方向に移動する距離は、最低でもカム筒の長さが必要となってしまい、レンズ群の収納長の更なる短縮化を図ることが難しい。
【００１０】
そこで、本発明は、レンズ群の収納長の更なる短縮化を図ることができる沈胴式ズームレンズ鏡筒を提供することを目的とする。
【課題を解決するための手段】
【００１１】
上記目的を達成するために、本発明の沈胴式ズームレンズ鏡筒は、光軸方向に互い離間配置された２つのレンズ群と、光軸の周りに回転可能、且つ光軸方向に移動可能に設けられるとともに、前記２つのレンズ群を光軸方向に移動可能に保持する移動環と、前記移動環の周りに設けられ、該移動環を回転させて前記移動環を光軸方向に移動させる第１の移動手段と、を備え、前記移動環は、前記２つのレンズ群の一方のレンズ群に対して他方のレンズ群を光軸方向に移動させるとともに、該他方のレンズ群に対して前記一方のレンズ群を光軸方向に移動させる第２の移動手段を有する、ことを特徴とする。
【発明の効果】
【００１２】
本発明によれば、移動環に保持された２つのレンズ群の一方のレンズ群に対して他方のレンズ群が光軸方向に移動するとともに、該他方のレンズ群に対して前記一方のレンズ群が光軸方向に移動するので、レンズ群の収納長の更なる短縮化を図ることができる。
【発明を実施するための最良の形態】
【００１３】
以下、本発明の実施の形態の一例を図を参照して説明する。図１は本発明の実施の形態の一例である沈胴式ズームレンズ鏡筒を説明するための要部断面図、図２は図１の沈胴式ズームレンズ鏡筒の第１の撮影状態（ＷＩＤＥ）を説明するための要部断面図である。また、図３は図１の沈胴式ズームレンズ鏡筒の第２の撮影状態（ＴＥＬＥ）を説明するための要部断面図、図４は図１の沈胴式ズームレンズ鏡筒のレンズ群の各撮影状態での位置を説明するための図である。
【００１４】
本発明の実施の形態の一例である沈胴式ズームレンズ鏡筒１０は、図１に示すように、レンズ１１を有する第１のレンズ群、レンズ１２，１３を有する第２のレンズ群、及びレンズ１４を有する第の３レンズ群からなるリアフォーカス系である。
【００１５】
また、沈胴式ズームレンズ鏡筒１０は、これらのレンズ群１１〜１４を保持し、且つ光軸上を移動させるために、固定カム筒２９、ドライブリング３０、移動カム筒２６，２８、直進カム筒２５，２７、第１のレンズ鏡筒２１、及び第２のレンズ鏡筒２２を備える。
【００１６】
第２のレンズ鏡筒（移動環）２２は、光軸の周りに回転可能、且つ光軸方向に移動可能に配設されており、レンズ１２，１３を保持する第１のレンズ保持枠２３と、レンズ１４を保持する第２のレンズ保持枠２４とを有している。第１のレンズ保持枠２３及び第２のレンズ保持枠２４は、第２のレンズ鏡筒２２に対して光軸方向に移動可能に配置されている。そして、第２のレンズ保持枠２４に保持されたレンズ１４が、フォーカスレンズ群とされている。
【００１７】
図１は、沈胴式ズームレンズ鏡筒１０が沈胴している状態を示しており、この状態で電源が入ると、図示しないモータが駆動し、該駆動力が減速ギア機構を介してドライブリング３０に伝達され、該ドライブリング３０が回転する。
【００１８】
ドライブリング３０の内周面には光軸方向に直線状に延びる直進溝３０ａが形成されており、また、ドライブリング３０の内周側には固定カム筒２９が取り付けられている。ドライブリング３０及び固定カム筒２９は、該ドライブリング３０が回転しても光軸方向に移動することがないように根元部分がバヨネット形状になっている。また、固定カム筒２９は、ドライブリング３０が回転してもドライブリング３０と共に回転しないようにＣＣＤを保持するホルダ４０によって回転が規制されている。即ち、ドライブリング３０は、回転はするが光軸方向の移動が規制され、固定カム筒２９は、回転及び光軸方向の移動が規制されている。
【００１９】
固定カム筒２９は、光軸方向に延びて鏡筒側面に貫通する貫通カムと、内周面に貫通カムと同形状に形成されたカム溝とを有している。貫通カム及びカム溝は、共に円周方向に互いに１２０°離間して３箇所ずつ配置されている。また、固定カム筒２９の内周面には光軸方向に直線状に延びる直進溝が形成されている。
【００２０】
固定カム筒２９の内周側には移動カム筒２８が取り付けられている。一方、移動カム筒２８の外周面には、ドライブピン３１とカムピン３２とがそれぞれ円周方向に互いに１２０°離間して３箇所ずつ配置されている。
【００２１】
ドライブピン３１は、固定カム筒２９よりも径方向外側に突出して、ドライブリング３０の直進溝３０ａに嵌合している。また、カムピン３２は固定カム筒２９のカム溝に嵌合している。
【００２２】
そして、ドライブリング３０が回転すると、移動カム筒２８のドライブピン３１がドライブリング３０の直進溝３０ａに嵌合しているため、移動カム筒２８もドライブリング３０と一体に回転する。また、移動カム筒２８のカムピン３２が固定カム筒３０のカム溝に嵌合しているため、ドライブリング３０の回転によって移動カム筒２８は固定カム筒２９のカム溝に沿って回転しながら、光軸方向に沿って移動する。
【００２３】
移動カム筒２８の内周面にも同様に光軸方向に直線状に延びる直進溝２８ａが形成されている。また、移動カム筒２８の内周側には、直進カム筒２７が取り付けられている。直進カム筒２７は、光軸方向に延びて鏡筒側面に貫通する貫通カムと、内周面に貫通カムと同形状に形成されたカム溝とを有している。貫通カム及びカム溝は、共に円周方向に互いに１２０°離間して３箇所ずつ配置されている。
【００２４】
また、直進カム筒２７の根元側には径方向外側に突出する凸部２７ａが形成されており、該凸部２７ａは固定カム筒２９の直進溝に嵌合している。
【００２５】
従って、移動カム筒２８が回転しながら光軸方向に移動すると、直進カム筒２７も一緒に光軸方向に移動するが、直進カム筒２７の凸部２７ａが固定カム筒２９の直進溝に嵌合しているため、直進カム筒２７は回転が規制される。即ち、直進カム筒２７は、光軸方向に移動するが、移動カム筒２８と一緒に回転することはない。
【００２６】
移動カム筒２８と直進カム筒２７と、もう一組の移動カム筒（第１の移動手段）２６と直進カム筒２５とを同様に駆動させる。移動カム筒２６の内周面には、光軸方向に延びるカム溝が形成されている。移動カム筒２６の内周側に直進カム筒２５が取り付けられており、直進筒２５には光軸方向に延びて鏡筒側面に貫通する切り欠きが形成されている。
【００２７】
移動カム筒２６は、移動カム筒２８と同様に回転しながら該移動カム筒２８の回転によって光軸方向を移動する。直進カム筒２５は、移動カム筒２６の回転によって一緒に光軸方向に移動をするが、移動カム筒２６と一緒に回転しないように、回転方向に規制されているため、直進カム筒２５は回転せずに光軸方向に移動する。
【００２８】
第１のレンズ鏡筒２１の外周面にはカムピン２１ａが円周方向に互いに１２０°離間して３箇所配置され、第２のレンズ鏡筒２２の外周面にはカムピン２２ａが円周方向に互いに１２０°離間して３箇所配置されている。これらのカムピン２１ａ，２２ａは、移動カム筒２６の内周面に形成されたカム溝に嵌合している。
【００２９】
移動カム筒２６の内周面には、第１のレンズ鏡筒２１のカムピン２１ａが嵌合して該第１のレンズ鏡筒２２を光軸方向に移動させるカム溝が形成されている。また、第２のレンズ鏡筒２２のカムピン２２ａが嵌合して該第２のレンズ鏡筒２２を光軸方向に移動させるカム溝も形成されている。移動カム筒２６の回転と、該移動カム２６の内周側に取り付けられている直進カム筒２５の直進溝とによって、第１のレンズ鏡筒２１及び第２のレンズ鏡筒２２が回転しながら移動カム筒２６の長さの分だけ光軸方向に移動する。
【００３０】
そして、第１のレンズ鏡筒２１及び第１のレンズ保持枠２３が移動カム筒２６の回転によって定められた撮影位置に光軸方向に移動することにより、沈胴式ズームレンズ鏡筒１０は、図１に示す沈胴状態から図２に示す第１の撮影状態（ＷＩＤＥ）に至る。
【００３１】
第１のレンズ鏡筒２１及び第１のレンズ保持枠２２が第１の撮影状態に配置されたとき、第２のレンズ保持枠２４はフォーカス初期位置に配置されている。従って、第２のレンズ保持枠２４は被写体に対してピントを調整するために光軸方向に移動する必要がある。
【００３２】
ここで、第２のレンズ保持枠２４を光軸方向に移動させる方法について説明する。
【００３３】
第２のレンズ鏡筒２２には、第１のレンズ保持枠２３及び第２のレンズ保持枠２４がガイドバー３９によって光軸方向に移動可能に支持されている。第１のレンズ保持枠２３と第２のレンズ鏡筒２２との間には、第１のレンズ保持枠２３を常に光軸方向の鏡筒収納側に付勢する圧縮コイルばね３８がガイドバー３９に外挿された状態で配置されている。
【００３４】
一方、第２のレンズ保持枠２４と第２のレンズ鏡筒２２との間には、第２のレンズ保持枠２４を常に光軸方向の鏡筒繰り出し側に付勢する圧縮コイルばね３７がガイドバー３９に外挿された状態で配置されている。
【００３５】
また、第２のレンズ鏡筒２２には、モータ（単一の駆動源：第２の移動手段）３３が、その出力軸を光軸に対して平行に配置して取り付けられている。モータ３３の出力軸にはねじ軸（第２の移動手段）３４が同心に連結されており、モータ３３の駆動によりねじ軸３４が回転する。ねじ軸３４には、ねじ軸３４の回転により光軸方向に移動する一対のナット（第２の移動手段）３５，３６が螺合されている。
【００３６】
ナット３５は第１のレンズ保持枠２３に対して光軸方向に係合可能とされ、ナット３６は第２のレンズ保持枠２４に対して光軸方向に係合可能とされている。また、ナット３５は、第１のレンズ保持枠２３に設けられた回転止め部材２３ａにより回転が規制され、ナット３６は、第２のレンズ保持枠２４に設けられた回転止め部材２４ａにより回転が規制されている。
【００３７】
そして、モータ３３の駆動によりねじ軸３４が回転すると、該ねじ軸３４に螺合された一対のナット３５，３６が光軸方向の鏡筒収納側に移動する。
【００３８】
ここで、ナット３６が光軸方向の鏡筒収納側に移動すると、該ナット３６が第２のレンズ保持枠２４に係合して該第２のレンズ保持枠２４を光軸方向の鏡筒収納側に押し、第２のレンズ保持枠２４がガイドバー３９に沿って光軸方向の鏡筒収納側に移動する。
【００３９】
一方、第１のレンズ群保持枠２３は圧縮コイルばね３８によって光軸方向の鏡筒収納側に付勢された状態で、第１のレンズ保持枠２３と第２のレンズ保持枠２４との間で第２のレンズ鏡筒２２に設けられた規制部材（第２の移動手段）２２ｂに突き当たっている。また、ナット３５は第１のレンズ保持枠２３に対して光軸方向に充分なクリアランスがあるため、ナット３５のみが光軸方向を鏡筒収納側に移動する。
【００４０】
従って、第１のレンズ保持枠２３に保持されたレンズ１２，１３は、移動カム筒２６によって移動した第１撮影状態（ＷＩＤＥ）のポジションにとどまる。また、レンズ１４を保持する第３レンズ保持枠２４は光軸方向の鏡筒収納側に移動し、合焦するとモータ３３の駆動が停止する。
【００４１】
なお、第１の撮影状態（ＷＩＤＥ）から第２の撮影状態（ＴＥＬＥ）に移動するまでの各撮影ポジションについては、第２の撮影状態（ＴＥＬＥ）をのぞき、すべて第１の撮影状態（ＷＩＤＥ）と同様の動作を行う。
【００４２】
次に、第１の撮影状態（ＷＩＤＥ）から第２の撮影状態（ＴＥＬＥ）へ移動する方法を説明する。
【００４３】
沈胴式ズームレンズ鏡筒１０は、沈胴状態から第１の撮影状態（ＷＩＤＥ）への移動と同様に、移動カム筒２６の回転によって第１のレンズ鏡筒２１及び第２のレンズ鏡筒２２が光軸方向に移動する。図３は第２の撮影状態（ＴＥＬＥ）を示す。
【００４４】
移動カム筒２６の回転では第１のレンズ群保持枠２３はカム筒の先端まで移動するが、移動カム筒２６の回転だけでは第２のポジション（ＴＥＬＥ）まで到達できない。そこで、第２レンズ鏡筒２２に取り付けられたモータ３３によって第１のレンズ群保持枠２３を光軸方向の鏡筒繰り出し側に移動させる。
【００４５】
ここで、モータ３３は、第１の撮影状態（ＷＩＤＥ）とは逆回転の駆動を行う。つまり、ねじ軸３４も第１の撮影状態（ＷＩＤＥ）とは逆方向に回転し、ねじ軸３４の回転により、ナット３５，３６は第１の撮影状態とは反対に光軸方向の鏡筒繰り出し側に向かって移動する。
【００４６】
ナット３５，３６の移動により、これまで第２のレンズ鏡筒２２の規制部材２２ｂに突き当たっていた第１のレンズ保持枠２３はナット３５に押されて光軸方向の鏡筒繰り出し側に移動する。これにより、第１のレンズ保持枠２３は第２の撮影状態（ＴＥＬＥ）まで移動する。
【００４７】
一方、第２のレンズ保持枠２４はナット３６の移動に応じて、光軸方向の鏡筒繰り出し側に移動し、該第２のレンズ保持枠２４が圧縮コイルばね３９の付勢力により第２のレンズ鏡筒２２の規制部材２２ｂに突き当たった時点で、一旦モータ３３の駆動を終える。なお、図３に示すように、ナット３６は第２のレンズ保持枠２４に対して光軸方向に充分なクリアランスがあるため、モータ３３が駆動されてもナット３６のみが光軸方向に移動する。つまり、第２のレンズ保持枠２４は、移動カム筒２６によって光軸方向に移動した第２の撮影状態（ＴＥＬＥ）のポジションにとどまる。
【００４８】
次に、第２の撮影状態（ＴＥＬＥ）における第２のレンズ保持枠２４のピント調整方法について説明する。
【００４９】
第２の撮影状態（ＴＥＬＥ）では、第１のレンズ保持枠２３を光軸方向の鏡筒繰り出し側に移動させるが、第１のレンズ保持枠２３を移動させているときは、第２のレンズ保持枠２４とナット３６との間にクリアランスがある。このため、第２のレンズ保持枠２４は第２レンズ鏡筒２２に取り付けられたモータ３３では光軸方向に移動させることはできず、第２のレンズ保持枠２４は第２のレンズ鏡筒２２の規制部材２２ｂに突き当たっている状態である。このときの第２のレンズ保持枠２４の位置がフォーカス初期位置となる。
【００５０】
そこで、第２のレンズ保持枠２４は、図４に示すような移動を開始する。なお、図４において、１群はレンズ１１（第１のレンズ鏡筒２１）、２群はレンズ１２，１３（第１のレンズ保持枠２３），３群はレンズ１４（第２のレンズ保持枠２４）である。
【００５１】
まず、移動カム筒２６の回転によって光軸方向に移動する第１のレンズ鏡筒２１のカムピン２１ａは、第２の撮影状態（ＴＥＬＥ）に達した後、移動カム筒２６のカム棚の位置に乗り、その後しばらく回転する。このときカムは棚形状のため、移動カム筒２６が回転しても第１のレンズ鏡筒２１は光軸方向に移動することはなく、第２の撮影状態（ＴＥＬＥ）の位置にとどまる。
【００５２】
次に、第１のレンズ群保持枠２３は、この時点では第２の撮影状態の位置に達していないため、第２のレンズ鏡筒２２に取り付けられたモータ３３の駆動によって光軸方向に移動し、第２の撮影状態（ＴＥＬＥ）の位置に達する。
【００５３】
この状態で被写体にピントを合わせるためには、第２のレンズ保持枠２４を光軸方向に移動させる必要があるので、再び移動カム筒２６が回転して光軸方向の鏡筒収納側へ移動する。
【００５４】
このとき、第１のレンズ鏡筒２１は上述したようにカム棚の位置にいるため、移動カム筒２６が回転しても光軸方向において位置は変わることはないが、第２のレンズ鏡筒２２は移動カム筒２６の回転に合わせて光軸方向の鏡筒収納側に移動する。
【００５５】
この動作によって第１のレンズ保持枠２３及び２のレンズ保持枠２４は共に光軸方向の鏡筒収納側へと移動するが、第１のレンズ保持枠２３は常に第２の撮影状態の位置にとどまるようにモータ３３によって断続的に光軸方向の鏡筒繰り出し側に移動させられる。従って、結果的に第２のレンズ保持枠２４のみが光軸方向の鏡筒収納側に移動することになる。これにより、第２のレンズ保持枠２４が被写体のピントを調整する動作を行うことが可能となる。
【００５６】
このように、この実施の形態では、単一の駆動源であるモータ３３を正逆方向に駆動することで、第１のレンズ保持枠２３に対して第２のレンズ保持枠２４を移動させ、また、第２のレンズ保持枠２４に対して第１のレンズ保持枠２３を移動させることができる。これにより、各ズームポジションにおいてカム筒の移動では足りないレンズ群の移動距離分を補うことが可能となる。この結果、レンズ群の収納長の更なる短縮化を図ることができ、カム筒の長さのために光軸方向に厚みが大きくなりがちな沈胴式ズームレンズ鏡筒のコンパクト化を図ることが可能となる。
【００５７】
なお、本発明は上記実施の形態に例示したものに限定されるものではなく、本発明の要旨を逸脱しない範囲において適宜変更可能である。
【００５８】
例えば、上記実施の形態では、沈胴式ズームレンズ鏡筒の変倍機構をカム機構としているが、これに限定されず、沈胴式ズームレンズ鏡筒の変倍機構をヘリコイド機構としてもよい。
【００５９】
また、上記実施の形態では、沈胴式ズームレンズ鏡筒を３群リアフォーカス機構としているが、これに限定されず、４群リアフォーカス機構としてもよい。
【００６０】
更に、上記実施の形態では、ズームポジションごとにレンズ撮影状態が切り替わるズームレンズ鏡筒について説明したが、これに代えて、例えば沈胴位置、ＷＩＤＥ位置、ＴＥＬＥ位置とに切り替わる２焦点カメラに本発明を適用してもよい。
【００６１】
更に、上記実施の形態では、ＷＩＤＥ位置の次にＴＥＬＥ位置がくるような設定になっているが、沈胴位置とＷＩＤＥ位置との間にＴＥＬＥ位置を設定してもよい。
【図面の簡単な説明】
【００６２】
【図１】本発明の実施の形態の一例である沈胴式ズームレンズ鏡筒を説明するための要部断面図である。
【図２】図１の沈胴式ズームレンズ鏡筒の第１の撮影状態（ＷＩＤＥ）を説明するための要部断面図である。
【図３】図１の沈胴式ズームレンズ鏡筒の第２の撮影状態（ＴＥＬＥ）を説明するための要部断面図である。
【図４】図１の沈胴式ズームレンズ鏡筒のレンズ群の各撮影状態での位置を説明するための図である。
【符号の説明】
【００６３】
１０        沈胴式ズームレンズ鏡筒
１１        レンズ群
１２，１３  レンズ群
２２        第２のレンズ鏡筒（移動環）
２２ｂ      規制部材（第２の移動手段）
２３        第１のレンズ保持枠（保持枠）
２４        第２のレンズ保持枠（保持枠）
２６        移動カム筒（第１の移動手段）
３３        モータ（単一の駆動源：第２の移動手段）
３４        ねじ軸（第２の移動手段）
３５，３６  一対のナット（第２の移動手段）
【図１】
2007316516.tif 000003
【図２】
2007316516.tif 000004
【図３】
2007316516.tif 000005
【図４】
2007316516.tif 000006